(57)【要約】【課題】簡素な構成にて迷光を除去し、且つトラッキングエラー信号に生じるＤＣ成分を抑制できる光ピックアップ装置および光ディスク装置を提供する。【解決手段】ディスクによって反射されたレーザ光のうち、レーザ光軸の周りに設定された４つの光束領域Ａ〜Ｄの光束に対し、それぞれ異なる非点収差作用および進行方向変更作用を付与し、光束領域Ａ〜Ｄの光束を互いに離散させる。光検出器の検出面には、信号光のみが存在する信号光領域が現れる。この領域に８つのセンサパターンＰ１１〜Ｐ１８を配置する。Ｐ１７とＰ１８の加算信号と、Ｐ１１とＰ１２の加算信号との差分信号を信号ＰＰ１とし、Ｐ１３とＰ１４の加算信号と、Ｐ１５とＰ１６の加算信号との差分信号を信号ＰＰ２とすると、ＣＰＰ＝ＰＰ１＋ｋ・ＰＰ２の演算によりプッシュプル信号を求める。これにより、迷光の影響が抑制され、且つ、ＤＣ成分が抑制されたプッシュプル信号が得られる。【選択図】図１５
2010257549.tif 000002
【特許請求の範囲】
【請求項１】
記録層を複数有する記録媒体にレーザ光を照射する光ピックアップ装置において、
前記レーザ光を出射する光源と、
前記レーザ光を前記記録媒体上に収束させる対物レンズと、
前記記録媒体にて反射された前記レーザ光が入射するとともに、前記レーザ光の光軸周りに区分された複数のレンズ領域を備え、これらレンズ領域は少なくとも前記記録媒体からのトラック像に対して４５度の角度をもつ２つの直線によって区分され、各レンズ領域が個別に前記レーザ光に非点収差を導入する非点収差部と、
前記各レンズ領域に入射する前記レーザ光の光束の進行方向を互いに異ならせて前記各光束を離散させる光束離散部と、
前記離散された各光束を受光して検出信号を出力する光検出器と、を備え、
前記レンズ領域は、前記光軸周りに隣り合う他の２つの前記レンズ領域との間の第１および第２の境界のうち、前記第１の境界に平行な方向に前記光束を収束させて第１の焦点距離の位置に焦線を結ばせるとともに、前記第１の境界に垂直な方向に前記光束を収束させて前記第１の焦点距離とは異なる第２の焦点距離の位置に焦線を結ばせるよう構成され、前記各レンズ領域の前記第１の境界は互いに接しないよう設定され、
前記光束離散部は、前記記録媒体中のターゲット記録層に前記レーザ光が合焦している状態にあるとき、前記ターゲット記録層によって反射された前記レーザ光の前記各光束と、前記ターゲット記録層以外の他の記録層によって反射された前記レーザ光の前記各光束とが、前記光検出器の受光面上において互いに重ならないよう設定されている、
ことを特徴とする光ピックアップ装置。
【請求項２】
請求項１に記載の光ピックアップ装置と、
前記光検出器からの検出信号を演算処理する演算回路と、を備え、
前記演算回路は、前記記録媒体にて反射された前記レーザ光を前記２つの直線で分割した４つの分割光束のうち、前記トラック像に垂直な方向に向き合う第１および第２の分割光束の光量差に応じた第１のプッシュプル信号を前記記録媒体上のトラックに対する前記レーザ光のずれ量を表す信号として生成する第１の演算部と、
前記４つの分割光束のうち、前記トラック像に平行な方向に向き合う第３および第４の分割光束のうち少なくとも一方の前記トラック像に垂直な方向の強度バランスに応じた第２のプッシュプル信号を生成する第２の演算部と、
第２のプッシュプル信号をｋ倍した信号を前記第１のプッシュプル信号に加算する第３の演算部を有し、
前記倍率ｋは、前記レーザ光の光軸に対する前記対物レンズの光軸のずれにより生じる前記第１のプッシュプル信号のＤＣ成分を抑制するための極性を持ち、
前記光検出器は、少なくとも、前記第１のプッシュプル信号と前記第２のプッシュプル信号をそれぞれ前記第１の演算部と前記第２の演算部により生成するためのセンサパターンを有している、
ことを特徴とする光ディスク装置。
【請求項３】
請求項２に記載の光ディスク装置において、
前記倍率ｋは、前記レーザ光の光軸に対する前記対物レンズの光軸ずれに応じて、前記第１のプッシュプル信号と前記第２のプッシュプル信号が異なる極性の方向に変化する場合は正の値を持ち、同じ極性の方向に変化する場合は負の値を持つ、
ことを特徴とする光ディスク装置。
【請求項４】
請求項２または３に記載の光ディスク装置において、
前記倍率ｋは、第２のプッシュプル信号をｋ倍した信号を加算することによって前記第１のプッシュプル信号のＤＣ成分が最も抑制される値に設定されている、
ことを特徴とする光ディスク装置。
【請求項５】
請求項２ないし４の何れか一項に記載の光ディスク装置において、
前記非点収差部は、前記レンズ領域を４つのみ有し、
前記光束離散部は、ターゲット記録層に前記レーザ光が合焦しているとき、前記ターゲット記録層によって反射され前記４つのレンズ領域を通る前記レーザ光の各光束が、前記光検出器の受光面上において、正方形の頂角の位置に位置づけられるよう構成されている、
ことを特徴とする光ディスク装置。
【請求項６】
請求項１ないし５の何れか一項に記載の光ディスク装置において、
前記非点収差部と前記光束離散部が、一つの光学素子に一体化されている、
ことを特徴とする光ディスク装置。
【発明の詳細な説明】
【技術分野】
【０００１】
本発明は、光ピックアップ装置および光ディスク装置に関するものであり、特に、複数の記録層が積層された記録媒体に対してレーザ光を照射する際に用いて好適なものである。
【背景技術】
【０００２】
近年、光ディスクの大容量化に伴い、記録層の多層化が進んでいる。一枚のディスク内に複数の記録層を含めることにより、ディスクのデータ容量を顕著に高めることができる。記録層を積層する場合、これまでは片面２層が一般的であったが、最近では、さらに大容量化を進めるために、片面に３層以上の記録層を配することも検討されている。ここで、記録層の積層数を増加させると、ディスクの大容量化を促進できる。しかし、その一方で、記録層間の間隔が狭くなり、層間クロストークによる信号劣化が増大する。
【０００３】
記録層を多層化すると、記録／再生対象とされる記録層（ターゲット記録層）からの反射光が微弱となる。このため、ターゲット記録層の上下にある記録層から、不要な反射光（迷光）が光検出器に入射すると、検出信号が劣化し、フォーカスサーボおよびトラッキングサーボに悪影響を及ぼす惧れがある。したがって、このように記録層が多数配されている場合には、適正に迷光を除去して、光検出器からの信号を安定化させる必要がある。
【０００４】
以下の特許文献１には、ピンホールを用いて迷光を除去する技術が、特許文献２には、１／２波長板と偏光光学素子を組み合わせることにより迷光を除去する技術が、それぞれ記載されている。また、特許文献３には、トラッキングエラー信号に生じるＤＣ成分を抑制する手法が記載されている。
【先行技術文献】
【特許文献】
【０００５】
【特許文献１】特開２００６−２６０６６９号公報
【特許文献２】特開２００６−２５２７１６号公報
【特許文献３】特開平１１−３５３６６６号公報
【発明の概要】
【発明が解決しようとする課題】
【０００６】
上記特許文献１の技術によれば、ターゲット記録層から反射されたレーザ光（信号光）の収束位置にピンホールを正確に位置づける必要があるため、ピンホールの位置調整作業が困難であるとの課題がある。位置調整作業を容易にするためピンホールのサイズを大きくすると、迷光がピンホールを通過する割合が増加し、迷光による信号劣化を効果的に抑制できなくなる。
【０００７】
また、特許文献２の技術によれば、迷光を除去するために、１／２波長板と偏光光学素子が２つずつ必要である他、さらに、２つのレンズが必要であるため、部品点数とコストが増加し、また、各部材の配置調整が煩雑であるとの課題がある。また、これらの部材を並べて配置するスペースが必要となり、光学系が大型化するとの課題もある。
【０００８】
なお、光ディスク装置においては、ディスクによって反射されたレーザ光の光量分布の偏りに基づいてトラッキングエラー信号が生成される。かかるトラッキングエラー信号には、レーザ光軸に対する対物レンズのオフセットに応じてＤＣ成分が重畳される。よって、光ディスク装置では、かかるＤＣ成分を円滑に抑制する手法が要求される。
【０００９】
本発明は、これらの課題を解消するためになされたものであり、簡素な構成にて、迷光を除去することができ、且つトラッキングエラー信号に生じるＤＣ成分を抑制できる光ピックアップ装置および光ディスク装置を提供することを目的とする。
【課題を解決するための手段】
【００１０】
本発明の第１の態様は、記録層を複数有する記録媒体にレーザ光を照射する光ピックアップ装置に関する。第１の態様に係る光ピックアップ装置は、前記レーザ光を出射する光源と、前記レーザ光を前記記録媒体上に収束させる対物レンズと、前記記録媒体にて反射された前記レーザ光が入射するとともに、前記レーザ光の光軸周りに区分された複数のレンズ領域を備え、これらレンズ領域は少なくとも前記記録媒体からのトラック像に対して４５度の角度をもつ２つの直線によって区分され、各レンズ領域が個別に前記レーザ光に非点収差を導入する非点収差部と、前記各レンズ領域に入射する前記レーザ光の光束の進行方向を互いに異ならせて前記各光束を離散させる光束離散部と、前記離散された各光束を受光して検出信号を出力する光検出器とを備える。ここで、前記レンズ領域は、前記光軸周りに隣り合う他の２つの前記レンズ領域との間の第１および第２の境界のうち、前記第１の境界に平行な方向に前記光束を収束させて第１の焦点距離の位置に焦線を結ばせるとともに、前記第１の境界に垂直な方向に前記光束を収束させて前記第１の焦点距離とは異なる第２の焦点距離の位置に焦線を結ばせるよう構成され、前記各レンズ領域の前記第１の境界は互いに接しないよう設定され、前記光束離散部は、前記記録媒体中のターゲット記録層に前記レーザ光が合焦している状態にあるとき、前記ターゲット記録層によって反射された前記レーザ光の前記各光束と、前記ターゲット記録層以外の他の記録層によって反射された前記レーザ光の前記各光束とが、前記光検出器の受光面上において互いに重ならないよう設定されている。
【００１１】
本発明の第２の態様は、光ディスク装置に関する。第２の態様に係る光ディスク装置は、上記第１の態様に係る光ピックアップ装置と、前記光検出器からの検出信号を演算処理する演算回路とを備える。ここで、前記演算回路は、前記記録媒体にて反射された前記レーザ光を前記２つの直線で分割した４つの分割光束のうち、前記トラック像に垂直な方向に向き合う第１および第２の分割光束の光量差に応じた第１のプッシュプル信号を前記記録媒体上のトラックに対する前記レーザ光のずれ量を表す信号として生成する第１の演算部と、前記４つの分割光束のうち、前記トラック像に平行な方向に向き合う第３および第４の分割光束のうち少なくとも一方の前記トラック像に垂直な方向の強度バランスに応じた第２のプッシュプル信号を生成する第２の演算部と、第２のプッシュプル信号をｋ倍した信号を前記第１のプッシュプル信号に加算する第３の演算部を有する。また、前記倍率ｋは、前記レーザ光の光軸に対する前記対物レンズの光軸のずれにより生じる前記第１のプッシュプル信号のＤＣ成分を抑制するための極性を持ち、前記光検出器は、少なくとも、前記第１のプッシュプル信号と前記第２のプッシュプル信号をそれぞれ前記第１の演算部と前記第２の演算部により生成するためのセンサパターンを有している。
【発明の効果】
【００１２】
本発明によれば、簡素な構成にて、迷光を除去することができ、且つトラッキングエラー信号に生じるＤＣ成分を抑制できる光ピックアップ装置および光ディスク装置を提供することができる。
【００１３】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１４】
【図１】実施形態に係る技術原理（光線の収束状態）を説明する図である。
【図２】実施形態に係る技術原理（光束の分布状態）を説明する図である。
【図３】実施形態に係る技術原理（信号光と迷光の分布状態）を説明する図である。
【図４】実施形態に係る技術原理（信号光と迷光の分布状態）を説明する図である。
【図５】実施形態に係る技術原理（光束の分離方法）を説明する図である。
【図６】実施の形態に係るセンサパターンの配置方法を示す図である。
【図７】プッシュプル信号のＤＣ成分を検証（シミュレーション）するために用いた光学系を示す図である。
【図８】上記シミュレーションの条件を説明する図である。
【図９】レンズシフトが生じたときの信号光の光量バランスを検証したシミュレーション結果を示す図である。
【図１０】レンズシフトが生じたときのプッシュプル信号と、信号ＰＰ１、ＰＰ２の状態を検証したシミュレーション結果を示す図である。
【図１１】変数ｋを変化させたときのプッシュプル信号のオフセット状態を検証したシミュレーション結果を示す図である。
【図１２】レンズシフトが生じたときの信号光と迷光の動きを検証したシミュレーション結果を示す図である。
【図１３】実施例に係る光ピックアップ装置の光学系を示す図である。
【図１４】実施例に係るアナモレンズの構成例を示す図である。
【図１５】実施例に係る演算回路の構成を示す図
【図１６】変更例１に係る光束の分布を説明する図である。
【図１７】変更例１に係るセンサパターンの配置方法を説明する図である。
【図１８】変更例１に係るフォーカスエラー信号を説明する図である。
【図１９】変更例２に係る光束の分布を説明する図である。
【図２０】変更例２に係るセンサパターンの配置方法を説明する図である。
【図２１】変更例２に係るフォーカスエラー信号を説明する図である。
【図２２】実施例の変更例を示す図である。
【発明を実施するための形態】
【００１５】
以下、本発明の実施の形態につき図面を参照して説明する。
【００１６】
＜技術的原理＞
まず、図１ないし図６を参照して、本実施の形態に適用される技術的原理について説明する。
【００１７】
図１は、光線の収束状態を示す図である。同図（ａ）は、ターゲット記録層によって反射されたレーザ光（信号光）、ターゲット記録層よりも深い層によって反射されたレーザ光（迷光１）、ターゲット記録層よりも浅い層によって反射されたレーザ光（迷光２）の収束状態を示す図である。同図（ｂ）は、本原理に用いるアナモレンズの構成を示す図である。同図（ｃ）は、従来の非点収差法に基づくフォーカス調整方法に用いるアナモレンズの構成を示す図である。
【００１８】
同図（ｃ）を参照して、従来手法に用いるアナモレンズは、レンズ光軸に平行に入射するレーザ光に対し、曲面方向と平面方向に収束作用を付与する。ここで、曲面方向と平面方向は、互いに直交している。また、曲面方向は、平面方向に比べ曲率半径が小さく、アナモレンズに入射するレーザ光を収束させる効果が大きい。なお、ここでは、アナモレンズにおける非点収差作用を簡単に説明するために、便宜上、“曲面方向”と“平面方向”と表現しているが、実際には、互いに異なる位置に焦線を結ぶ作用がアナモレンズによって生じれば良く、図１（ｃ）中の“平面方向”におけるアナモレンズの形状を平面に限定するものではない。なお、アナモレンズに収束状態でレーザ光が入射する場合は、“平面方向”におけるアナモレンズの形状は直線状（曲率半径＝∞）となり得る。
【００１９】
本原理に用いるアナモレンズは、以下のとおり、同図（ｃ）のアナモレンズに比べ構成が変更されている。すなわち、同図（ｃ）に示すアナモレンズが、平面方向と曲面方向に平行な２つの直線によって、４つの領域Ａ〜Ｄに４分割される。これら４つの領域Ａ〜Ｄのうち、領域Ａ、Ｄのレンズ曲面が、同図（ｂ）に示すように、曲面方向と平面方向が入れ替わった形状となるように調整される。領域Ｂ、Ｃのレンズ形状は、同図（ｃ）のアナモレンズの領域Ｂ、Ｃと同様である。
【００２０】
なお、本原理に用いるアナモレンズは、同図（ｂ）の他、たとえば、図１６（ａ）および図１９（ａ）に示すような他の構成をとることもできる。なお、図１６（ａ）および図１９（ａ）に示すアナモレンズについては、追って詳述する。
【００２１】
同図（ａ）を参照して、アナモレンズによって収束させられた信号光は、曲面方向および平面方向の収束により、それぞれ異なる位置で焦線を結ぶ。曲面方向の収束による焦線位置（Ｓ１）は、平面方向の収束による焦線位置（Ｓ２）よりも、アナモレンズに近い位置となり、後述する信号光の収束位置（Ｓ０）は、曲面方向および平面方向による焦線位置（Ｓ１）、（Ｓ２）の中間位置となる。
【００２２】
アナモレンズによって収束させられた迷光１についても同様に、曲面方向の収束による焦線位置（Ｍ１１）は、平面方向の収束による焦線位置（Ｍ１２）よりも、アナモレンズに近い位置となる。アナモレンズは、迷光１の平面方向の収束による焦線位置（Ｍ１２）が、信号光の曲面方向の収束による焦線位置（Ｓ１）よりも、アナモレンズに近い位置となるよう、設計されている。
【００２３】
アナモレンズによって収束させられた迷光２についても同様に、曲面方向の収束による焦線位置（Ｍ２１）は、平面方向の収束による焦線位置（Ｍ２２）よりも、アナモレンズに近い位置となる。アナモレンズは、迷光２の曲面方向の収束による焦線位置（Ｍ２１）は、信号光の平面方向の収束による焦線位置（Ｓ２）よりも、アナモレンズから遠い位置となるよう、設計されている。
【００２４】
また、焦線位置（Ｓ１）と焦線位置（Ｓ２）の間の収束位置（Ｓ０）において、信号光のビームが最小錯乱円となる。
【００２５】
図２は、レーザの光軸に垂直な各観察面における信号光の分布状態を示す図である。各図に付記された“領域Ａ”〜“領域Ｄ”は、図１（ｂ）に示すアナモレンズの領域Ａ〜Ｄに入射する信号光の光束領域を示している。また、図中、“曲”および“平”は、それぞれ、上記アナモレンズの領域Ａ〜領域Ｄにおける“曲面方向”と“平面方向”を表している。
【００２６】
図２（ａ）、（ｃ）、（ｅ）、（ｇ）は、それぞれ、観察面が、図１（ａ）において、アナモレンズの位置、焦線位置（Ｓ１）、収束位置（Ｓ０）および焦線位置（Ｓ２）にあるときの信号光の分布状態を示す図である。また、図２（ｂ）、（ｄ）、（ｆ）は、それぞれ、観察面が、図１（ａ）において、アナモレンズと焦線位置（Ｓ１）の間、焦線位置（Ｓ１）と収束位置（Ｓ０）の間、および、収束位置（Ｓ０）と焦線位置（Ｓ２）の間にあるときの信号光の分布状態を示す図であり、図２（ｈ）は、観察面が焦線位置（Ｓ２）よりもアナモレンズから離れた位置にあるときの信号光の分布状態を示す図である。
【００２７】
図２（ａ）に示す各光束領域の光は、上記アナモレンズの各領域のレンズ部分によって、曲面方向と平面方向に収束作用を受ける。上記の如く、曲面方向の収束作用は平面方向に比べ大きくなっているため、この収束作用の差によって、各光束領域の光の形状は、光の進行に伴って、図２（ｂ）〜（ｈ）に示すように変化する。
【００２８】
同図（ｃ）、（ｇ）に示すように、焦線位置（Ｓ１）、（Ｓ２）において、各光束領域の光は直線状（焦線）になる。また、同図（ｅ）に示すように、信号光は、収束位置（Ｓ０）において、円形（最小錯乱円）になる。さらに、同図（ｄ）に示すように、各光束領域の光は、焦線位置（Ｓ１）を過ぎると、全光束を４分割する直線を跨いだ隣の領域に入るようになる。また、各光束領域の光は、焦線位置（Ｓ２）を過ぎると、進行に伴って光束領域が広がるようになる。
【００２９】
なお、図２では、信号光の分布状態のみ示したが、迷光１、２についても、観察面と、曲面方向および平面方向の収束による焦線位置との位置関係により、同様に分布状態が変化する。
【００３０】
次に、以上を考慮して、面Ｓ０上における信号光および迷光１、２の照射領域との関係について検討する。
【００３１】
図３（ａ）に示すように、アナモレンズは、４つの領域Ａ〜Ｄに区分されている。ディスクからの反射光（信号光、迷光１、２）の形状は、アナモレンズによる収束作用によって、上記図２を参照して説明したように変化する。上記の如く、光束領域Ａ〜Ｄの信号光は、面Ｓ０上において、同図（ｂ）のように分布する。また、迷光１は、面Ｓ０に照射される際、図２（ｈ）の状態にあるため、光束領域Ａ〜Ｄの迷光１は、面Ｓ０上において、図３（ｃ）のように分布する。迷光２は、面Ｓ０に照射される際、図２（ｂ）の状態にあるため、光束領域Ａ〜Ｄの迷光１は、面Ｓ０上において、図３（ｄ）のように分布する。
【００３２】
ここで、面Ｓ０上における信号光と迷光１、２を光束領域毎に取り出すと、各光の分布は、図４（ａ）ないし（ｄ）のようになる。この場合、各光束領域の信号光には、同じ光束領域の迷光１および迷光２の何れも重ならない。このため、各光束領域内の光束（信号光、迷光１、２）を異なる方向に離散させた後に、信号光のみをセンサパターンにて受光するように構成すると、対応するセンサパターンには信号光のみが入射し、迷光の入射を抑止することができる。これにより、迷光による検出信号の劣化を回避することができる。
【００３３】
このように、領域Ａ〜Ｄを通る光を分散させて面Ｓ０上において離間させることにより、信号光のみを取り出すことができる。本実施の形態は、この原理を基盤とするものである。
【００３４】
図５は、図３（ａ）に示す４つの領域Ａ〜Ｄを通る光束（信号光、迷光１、２）の進行方向を、それぞれ、異なる方向に、同じ角度だけ変化させたときの、面Ｓ０上における信号光と迷光１、２の分布状態を示す図である。同図（ａ）は、アナモレンズの光軸方向（アナモレンズ入射時のレーザ光の進行方向）からアナモレンズを見た図、同図（ｂ）は、面Ｓ０における信号光、迷光１、２の分布状態を示す図である。
【００３５】
同図（ａ）では、領域Ａ〜Ｄを通った光束（信号光、迷光１、２）の進行方向が、入射前の各光束の進行方向に対して、それぞれ、方向Ｄａ、Ｄｂ、Ｄｃ、Ｄｄに、同じ角度量α（図示せず）だけ変化されている。なお、方向Ｄａ、Ｄｂ、Ｄｃ、Ｄｄは、領域Ａ、Ｂ、Ｃ、Ｄの境界線に対して、それぞれ、４５°の傾きを持っている。
【００３６】
この場合、方向Ｄａ、Ｄｂ、Ｄｃ、Ｄｄにおける角度量αを調節することにより、面Ｓ０上において、同図（ｂ）に示すように各光束領域の信号光と迷光１、２を分布させることができる。その結果、図示の如く、信号光のみが存在する信号光領域を面Ｓ０上に設定することができる。この信号光領域に光検出器のセンサパターンを設定することにより、各領域の信号光のみを、対応するセンサパターンにて受光することができる。
【００３７】
図６は、センサパターンの配置方法を説明する図である。同図（ａ）は、ディスクからの反射光（信号光）の光束領域を示す図であり、同図（ｂ）は、図１（ａ）の構成において、アナモレンズの配置位置と面Ｓ０に、それぞれ、従来の非点収差法に基づくアナモレンズと光検出器（４分割センサ）を配置したときの、光検出器上における信号光の分布状態を示す図である。図６（ｃ）および（ｄ）は、面Ｓ０上における、上述の原理に基づく信号光の分布状態とセンサパターンを示す図である。
【００３８】
各図において、トラック溝による信号光の回折の像（トラック像）の方向は、平面方向および曲面方向に対して４５°の傾きを持っている。同図（ａ）において、トラック像の方向が左右方向であるとすると、同図（ｂ）ないし（ｄ）では、信号光におけるトラック像の方向は、上下方向となる。なお、同図（ａ）および（ｂ）には、説明の便宜上、光束が８つの光束領域ａ〜ｈに区分されている。また、トラック像が実線で示され、オフフォーカス時のビーム形状が点線によって示されている。なお、トラック溝による信号光の０次回折像と一次回折像の重なり状態は、波長／（トラックピッチ×対物レンズＮＡ）で求められることが知られており、同図（ａ）、（ｂ）、（ｄ）のように、４つの光束領域ａ、ｄ、ｅ、ｈに一次回折像が収まる条件は、波長／（トラックピッチ×対物レンズＮＡ）＞√２となる。
【００３９】
従来の非点収差法では、光検出器のセンサパターンＰ１〜Ｐ４（４分割センサ）が同図（ｂ）のように設定される。この場合、光束領域ａ〜ｈの光強度に基づく検出信号成分をＡ〜Ｈで表すと、フォーカスエラー信号ＦＥとプッシュプル信号ＰＰは、
ＦＥ＝（Ａ＋Ｂ＋Ｅ＋Ｆ）−（Ｃ＋Ｄ＋Ｇ＋Ｈ）    …（１）
ＰＰ＝（Ａ＋Ｂ＋Ｇ＋Ｈ）−（Ｃ＋Ｄ＋Ｅ＋Ｆ）    …（２）
の演算により求まる。
【００４０】
これに対し、上記図５（ｂ）の分布状態では、上述の如く、信号光領域内に、図６（ｃ）の状態で信号光が分布している。この場合、同図（ａ）に示す光束領域ａ〜ｈを通る信号光は、同図（ｄ）のようになる。すなわち、同図（ａ）の光束領域ａ〜ｈを通る信号光は、光検出器のセンサパターンが置かれる面Ｓ０上では、同図（ｄ）に示す光束領域ａ〜ｈへと導かれる。
【００４１】
したがって、同図（ｄ）に示す光束領域ａ〜ｈの位置に、同図（ｄ）に重ねて示す如くセンサパターンＰ１１〜Ｐ１８を設定すれば、同図（ｂ）の場合と同様の演算処理によって、フォーカスエラー信号とプッシュプル信号を生成することができる。すなわち、この場合も、光束領域ａ〜ｈの光束を受光するセンサパターンからの検出信号をＡ〜Ｈで表すと、同図（ｂ）の場合と同様、フォーカスエラー信号ＦＥとプッシュプル信号ＰＰは、上記式（１）、（２）の演算により取得することができる。
【００４２】
以上のように、本原理によれば、従来の非点収差法に基づく場合と同様の演算処理にて、迷光の影響が抑制されたフォーカスエラー信号とプッシュプル信号（トラッキングエラー信号）を生成することができる。
【００４３】
なお、本原理に用いるアナモレンズは、既に述べたように、たとえば、図１６（ａ）および図１９（ａ）に示すような構成とすることもできる。すなわち、本原理に適用可能なアナモレンズは、レーザ光の光軸周りに区分された複数のレンズ領域を備えており、各レンズ領域が個別にレーザ光に非点収差を導入するものである。そして、各レンズ領域は、レーザ光の光軸周りに隣り合う他の２つのレンズ領域との間の２つの境界のうち、一方の境界に平行な方向（たとえば、図１（ｂ）、図１６（ａ）、図１９（ａ）の平面方向）に光束を収束させて第１の焦点距離の位置に焦線を結ばせるとともに、この境界に垂直な方向に光束を収束させて第１の焦点距離とは異なる第２の焦点距離の位置に焦線を結ばせるよう構成される。
【００４４】
なお、アナモレンズは、４つ以上のレンズ領域を有するのが望ましく、且つ、光軸周りの各レンズ領域の角度が９０度以下になっているのが望ましい。こうすると、たとえば、上記図５（ｂ）に示すように、迷光が信号光領域に掛からないようにすることができる。
【００４５】
ところで、ここでは、図６（ｂ）に示す従前の生成方法に倣って、式（２）に示す如くプッシュプル信号ＰＰが取得されたが、かかる従前の演算手法では、生成されたプッシュプル信号ＰＰ（トラッキングエラー信号）に、レーザ光軸に対する対物レンズのシフト（光軸ずれ）（以下、このシフトを「レンズシフト」という）に基づくＤＣ成分が重畳されるとの問題が生じる。
【００４６】
かかるＤＣ成分は、図６（ｄ）に示すセンサパターンにおいて、プッシュプル信号（トラッキングエラー信号）を以下のように修正することにより、効果的に抑制され得る。
【００４７】
以下、本件出願の発明者が行ったシミュレーション結果とともに、ＤＣ成分を効果的に抑制可能なプッシュプル信号（トラッキングエラー信号）の生成手法について説明する。
【００４８】
図７は、本シミュレーションに用いた光学系を示す図である。図中、１０は、波長４０５ｎｍのレーザ光を出射する半導体レーザ、１１は半導体レーザ１０から出射されたレーザ光を略全反射する偏光ビームスプリッタ、１２はレーザ光を平行光に変換するコリメートレンズ、１３はコリメートレンズ１２側から入射されるレーザ光（直線偏光）を円偏光に変換する１／４波長板、１４はレーザ光のビーム形状をレーザ光軸を中心とする真円に調整するためのアパーチャ、１５はレーザ光をディスク上に収束させる対物レンズ、１６は検出レンズ、１７は方向変更素子、１８は光検出器である。
【００４９】
検出レンズ１６は、図１（ｂ）に示すアナモレンズである。方向変更素子１７は、上記４つの領域Ａ〜Ｄを通過するレーザ光の進行方向を、上記図５（ａ）に示すように変化させて、各領域を通過したレーザ光を、光検出面上で、図５（ｂ）に示すように分布させる。
【００５０】
本光学系の設計条件は、以下の通りである。
（１）往路倍率：１０倍
（２）復路倍率：１８倍
（３）方向変更素子１７によって付与される分光角度：１．９度
（４）方向変更素子１７の分光面と光検出器１１３の検出面の間の距離（空気換算）：３ｍｍ
（５）方向変更素子１７を配さないときの光検出面上におけるスポット径：６０μｍ
（６）方向変更素子１７を配したときの光検出面上における各信号光（光束領域Ａ〜Ｄをそれぞれ通過）の変位距離：１００μｍ
（７）レーザ光の広がり角：垂直広がり角＝２０．０度、水平広がり角＝９．０度
（８）レンズ有効径：φ＝２．４ｍｍ
（９）レンズの開口数：０．８５
（１０）ディスクのトラックピッチ：０．３２μｍ
なお、上記（１）の往路倍率とは、対物レンズの焦点距離に対するコリメートレンズの焦点距離の比であり、（２）の復路倍率とは、対物レンズの焦点距離に対するコリメートレンズと検出レンズの合成焦点距離の比のことである。本光学系では、ディスクによって反射されたレーザ光（信号光）は、方向変更素子１７を除去すると検出面上において最小錯乱円となる。上記（５）のスポット径とは、この最小錯乱円の径のことである。
【００５１】
また、上記（６）の変位距離とは、方向変更素子１７を除去したときの検出面上における信号光の光軸中心と、方向変更素子１７を配したときの各信号光の頂点位置（図５（ｂ）に示す扇型の信号光が直角となる頂点の位置）との間の距離のことである。なお、光検出器１８の受光面上に配されるセンサパターンの寸法条件は、図８（ａ）の通りである。
【００５２】
上記（７）の垂直広がり角とは、光ピックアップ装置１０に内蔵されるレーザ素子の半導体層の層間方向におけるレーザ光の広がり角を意味し、水平広がり角とは半導体層に平行な方向におけるレーザ光の広がり角を意味する。ここで、広がり角は、図８（ｂ）に示すように、ピーク強度Ｐの半分以上の強度を持つビーム部分の広がり角とされている。また、上記（８）のレンズ有効径とは、アパーチャ１４を通過した後、対物レンズ１５に入射する際のビームの直径を意味する。
【００５３】
なお、半導体レーザ１０から出射されたレーザ光は、上記のように水平方向と垂直方向で広がり角が相違しているため、アパーチャ１４からコリメートレンズ１２へと向かう平行光束では、かかる広がり角の相違に基づいて、強度分布に偏りが生じている。図８（ｄ）は、かかる平行光束における強度の偏りを模式的に示す図である。同図中、白色の部分は強度が高く、ハッチングが付された部分は強度が低いことを示す。なお、同図の左側は、レーザ光軸に対して対物レンズの光軸がずれていない状態を示し、同図の右側は、レーザ光軸に対して対物レンズの光軸がトラックを横切る方向にシフトしている状態（レンズシフトあり）を示している。
【００５４】
図９は、上記条件のもとで、レンズシフトがある場合とない場合の信号光の強度をシミュレーションしたシミュレーション結果である。同図上段は、レンズシフトがない状態で、ディスク上のビームスポットがトラックセンターに位置するときと、トラックセンターからディスク径方向にずれたときの信号光の強度をシミュレーションしたものである。また、同図下段は、レンズシフトが３００μｍである状態で、ディスク上のビームスポットがトラックセンターに位置するときと、トラックセンターからディスク径方向にずれたときの信号光の強度をシミュレーションしたものである。
【００５５】
なお、デトラック＝＋Ｔ／４は、ビームスポットがトラックセンターからトラックピッチの１／４だけディスク外周方向にずれていることを示しており、デトラック＝−Ｔ／４は、ビームスポットがトラックセンターからトラックピッチの１／４だけディスク内周方向にずれていることを示している。また、デトラック＝０は、トラックセンターに対するビームスポットのずれ（デトラック）が生じていないことを示している。
【００５６】
同図の上段を参照すると、ビームスポットがトラックセンターに位置づけられている状態では、４つの信号光のうち左右２つの信号光の強度が均等となっており、ビームスポットがトラックセンターからディスク外周方向および内周方向にずれると、ずれ方向に応じて、左右２つの信号光の強度に差が生じている。よって、レンズシフトがない場合には、左右２つの信号光を受光するセンサからの出力信号をもとに、左右２つの信号光の強度差を求めることにより、適正にプッシュプル信号ＰＰ（トラッキングエラー信号）を求めることができる。
【００５７】
これに対し、同図の下段左端のシミュレーション結果を参照すると、ビームスポットがトラックセンターに位置づけられているにも関わらず、左右２つの信号光に強度差が生じている。すなわち、ここでは、左側の信号光の強度が右側の信号光の強度よりも大きくなっている。また、同図の下段中央のシミュレーション結果では、上段中央のシミュレーション結果よりも、右側の信号光と左側の信号光の強度差が小さくなっており、逆に、同図の下段右端のシミュレーション結果では、上段中央のシミュレーション結果よりも、右側の信号光と左側の信号光の強度差が大きくなっている。このように、レンズシフトが生じた場合には、信号光の左右のバランスが不適正となり、このため、左右２つの信号光を受光するセンサからの出力信号をもとに左右２つの信号光の強度差を求めても、プッシュプル信号ＰＰ（トラッキングエラー信号）を適正に求めることができない。すなわち、この場合、プッシュプル信号ＰＰには、レンズシフトに基づくＤＣ成分が重畳されることとなる。
【００５８】
次に、各図中の４つの信号光のうち上下２つの信号光について検討すると、同図上段の３つのシミュレーション結果では、デトラックの有無に拘わりなく、上下２つの信号光の左右の強度バランスは均等である。他方、同図下段の３つのシミュレーション結果では、デトラックの有無に拘わりなく、上下２つの信号光に同様のひずみが生じており、このひずみによって、上下２つの信号光の左右方向の強度バランスが不均等となっている。すなわち、ここでは、何れの場合も、上下２つの信号光の強度が左側に偏っている。
【００５９】
かかるシミュレーション結果から、レンズシフトが生じると、上下２つの信号光にひずみが生じ、これら２つの信号光の強度が左右何れかの方向に偏ることが分かる。したがって、この偏りを上下２つの信号光を受光するセンサからの出力信号をもとに求めれば、求めた値は、レンズシフトに基づくＤＣ成分を反映するものとなる可能性がある。
【００６０】
そこで、本件出願の発明者は、さらに、左右の信号光の強度差に応じた信号ＰＰ１と、上下の信号光の強度の左右の偏りに応じた信号ＰＰ２をシミュレーションにより求め、ＰＰ２をもとに、プッシュプル信号（トラッキングエラー信号）に含まれるＤＣ成分を抑制できるかを検討した。ここで、ＰＰ１、ＰＰ２は、図８（ｃ）に記載の演算式によって求めた。なお、シミュレーションの条件は、上記と同様である。
【００６１】
図１０は、シミュレーション結果を示す図である。
【００６２】
同図（ａ）は、デトラック量を変化させたときのプッシュプル信号（トラッキングエラー信号）の変化を求めたシミュレーション結果である。同図横軸のデトラック＝0、0.08、0.24は、それぞれ、図９のデトラック＝０、＋Ｔ／４、−Ｔ／４に対応する。同図には、レンズシフト（ＬＳ）が０μｍ、１００μｍ、２００μｍ、３００μｍのときの４つのシミュレーション結果が併せて示されている。なお、ここでは、プッシュプル信号（トラッキングエラー信号）が式（２）の演算式、すなわち、信号ＰＰ１と信号ＰＰ２の減算（ＰＰ１−ＰＰ２）によって求められている。このシミュレーション結果から、レンズシフト（ＬＳ）が大きくなるに従ってプッシュプル信号（トラッキングエラー信号）が下方向にシフトし、ＤＣ成分が大きくなっていることが分かる。
【００６３】
同図（ｂ）は、同図（ａ）のシミュレーション結果から信号ＰＰ１の信号成分を抽出したシミュレーション結果を示す図である。なお、同図には、レンズシフト（ＬＳ）が０μｍ、３００μｍのときの信号ＰＰ１が示されている。また、レンズシフト（ＬＳ）が０μｍ、３００μｍのときのプッシュプル信号ＰＰ（トラッキングエラー信号）が併せて示されている。なお、レンズシフト（ＬＳ）が０μｍのときの信号ＰＰ１とプッシュプル信号ＰＰは互いに重なり合っている。このシミュレーション結果から、レンズシフト（ＬＳ）が大きくなるに従って、信号ＰＰ１が下方向（負の方向）にシフトし、ＤＣ成分が大きくなっていることが分かる。
【００６４】
同図（ｃ）は、同図（ａ）のシミュレーション結果から信号ＰＰ２の信号成分を抽出したシミュレーション結果を示す図である。なお、同図には、レンズシフト（ＬＳ）が０μｍ、３００μｍのときの信号ＰＰ２が示されている。また、レンズシフト（ＬＳ）が０μｍ、３００μｍのときのプッシュプル信号ＰＰ（トラッキングエラー信号）が併せて示されている。このシミュレーション結果から、レンズシフト（ＬＳ）が大きくなるに従って、信号ＰＰ２が上方向（正の方向）にシフトすることが分かる。したがって、式（２）に示す従来の演算式に従い、信号ＰＰ１から信号ＰＰ２を減算してプッシュプル信号ＰＰ（トラッキングエラー信号）を生成すると、生成したプッシュプル信号ＰＰは、信号ＰＰ１のみの場合よりも、信号ＰＰ２の分だけ下方向（負の方向）にシフトし、ＤＣ成分がさらに増加することが分かる。
【００６５】
なお、上記のように、信号ＰＰ２はレンズシフト（ＬＳ）に伴い上方向（正の方向）にシフトするため、信号ＰＰ１に信号ＰＰ２を加算することにより、プッシュプル成分の減少なしにＤＣ成分を抑制することができることが分かる。そこで、本件出願の発明者は、プッシュプル信号（トラッキングエラー信号）ＰＰを求めるための演算式として
ＣＰＰ＝ＰＰ１＋ｋ・ＰＰ２  …（３）
を設定し、この演算式中の変数ｋを変化させることによりＤＣ成分をどのように抑制できるかを上記と同様の条件のもとで検証した。
【００６６】
図１１は、シミュレーション結果を示す図である。
【００６７】
同図（ａ）は、変数ｋをｋ＝−１，１，２，３，４としたときの、レンズシフト対するプッシュプル信号ＣＰＰ（トラッキングエラー信号）のオフセット量（ＤＣ成分）をシミュレーションしたものである。なお、縦軸は、トラッキングエラー信号の振り幅（正負の極大値間の差分）に対するオフセット量（ＤＣ成分）の比率である。また、ｋ＝−１のときのシミュレーション結果は、式（２）に示す従来の演算式（ＰＰ＝ＰＰ１−ＰＰ２）にてプッシュプル信号ＰＰ（トラッキングエラー信号）を求める場合に相当する。
【００６８】
このシミュレーション結果から、変数ｋをｋ＝３に設定すると、レンズシフトの大きさに拘わらず、プッシュプル信号ＣＰＰ（トラッキングエラー信号）のオフセット量（ＤＣ成分）を略ゼロに維持できることが分かる。
【００６９】
同図（ｂ）は、変数ｋをｋ＝−１（従来の演算式）に設定して、デトラック量を変化させたときのプッシュプル信号ＣＰＰ（トラッキングエラー信号）の大きさをシミュレーションにより求めたものである。このシミュレーション結果は、図１０（ａ）と同じである。この場合には、上述の如く、レンズシフトが大きくなるに伴って、プッシュプル信号ＣＰＰ（トラッキングエラー信号）のＤＣ成分が大きくなる。
【００７０】
図１１（ｃ）は、同図（ａ）のシミュレーション結果をもとに、変数ｋをｋ＝３に設定して、同図（ｂ）と同様のシミュレーションを行ったときのシミュレーション結果である。このシミュレーション結果から分かるとおり、変数ｋをｋ＝３に設定することにより、レンズシフト（ＬＳ）の大きさに拘わらず、プッシュプル信号ＣＰＰ（トラッキングエラー信号）のオフセット（ＤＣ成分）を効果的に抑制することができる。
【００７１】
以上のシミュレーション結果から分かるとおり、上記式（３）の演算によりプッシュプル信号ＣＰＰ（トラッキングエラー信号）を求め、さらに、その際、変数ｋを適正値に調節することにより、レンズシフト（ＬＳ）の大きさに拘わらず、プッシュプル信号ＣＰＰ（トラッキングエラー信号）のオフセット（ＤＣ成分）を効果的に抑制することができる。したがって、上記図１〜図６を参照して説明した基本原理に、さらに、上記式（３）の演算を適用することにより、迷光の影響が除去された高品質の信号を生成できるとともに、レンズシフトがある場合でもプッシュプル信号ＣＰＰ（トラッキングエラー信号）のオフセット（ＤＣ成分）を効果的に抑制することができる。
【００７２】
なお、変数ｋの値は、使用する光学系によって変動し得る。よって、光ピックアップ装置を光ディスク装置に搭載する場合には、適宜、変数ｋの値を適正値に調整する必要がある。
【００７３】
また、上記シミュレーションでは、信号ＰＰ２を、ＰＰ２＝（Ｃ＋Ｆ）−（Ｂ＋Ｇ）により求めたため、図１１（ａ）のように、上記式（３）の変数ｋが正の値を持つときにプッシュプル信号（トラッキングエラー信号）のオフセット（ＤＣ成分）を効果的に抑制できることとなったが、信号ＰＰ２を、ＰＰ２＝（Ｂ＋Ｇ）−（Ｃ＋Ｆ）により求める場合には、上記とは信号ＰＰ２の極性が反対となるため、プッシュプル信号ＣＰＰ（トラッキングエラー信号）のオフセット（ＤＣ成分）を効果的に抑制するためには、上記変数ｋが負の値を持つ必要がある。よって、上記式（３）の変数は、信号ＰＰ２の求め方によっても、適宜、極性を調整する必要がある。すなわち、上記変数ｋは、レンズシフトに伴って、信号ＰＰ１と信号ＰＰ２が異なる方向に変位する場合には正の値を持ち、同じ方向に変位する場合には負の値を持つものとされる必要がある。
【００７４】
なお、上記では、上下２つの信号光の双方から信号ＰＰ２を求め、求めた信号ＰＰ２に基づいて、プッシュプル信号ＣＰＰ（トラッキングエラー信号）のオフセット（ＤＣ成分）を抑制するようにしたが、上下２つの信号光の何れか一方のみから信号ＰＰ２を求め、求めた信号ＰＰ２に基づいて、プッシュプル信号ＣＰＰ（トラッキングエラー信号）のオフセット（ＤＣ成分）を抑制するようにすることもできる。この場合、信号ＰＰ２は、たとえば、ＰＰ２＝Ｆ−Ｇ、または、ＰＰ２＝Ｃ−Ｂの演算により求められる。この場合、信号ＰＰ２の大きさは、上記の場合の半分程度となる。よって、これに応じて式（３）の変数ｋを調節する必要がある。
【００７５】
次に、レンズシフトに伴う迷光の影響について、本件出願の発明者が行ったシミュレーション結果をもとに説明する。
【００７６】
図１２は、上記図７および８の条件のもとで、レンズシフトがある場合とない場合に、上記原理に基づく信号光および迷光の光検出器の受光面上における動きをシミュレーションしたシミュレーション結果である。
【００７７】
同図（ａ）は、レンズシフトがない場合を示し、同図（ｂ）は、レンズシフトが３００μｍである状態を示している。なお、本シミュレーションでは、ターゲット記録層よりも深い側に１０μｍ離れた位置にのみ記録層がある場合が想定されている。
【００７８】
同図（ａ）を参照して、レンズシフトがないとき、迷光の光束領域は、信号光領域に掛かっていない。このため、上記式（３）によるプッシュプル信号ＣＰＰは、迷光の影響を受けないことが分かる。
【００７９】
同図（ｂ）を参照して、レンズシフトがあるとき、信号光の分布は、レンズシフトがない場合の信号光領域に対して略変化しない（図９参照）。他方、迷光の分布は、図示の如く、上方向に移動する。これにより、右下および左下の領域の迷光が信号光領域に略等しく掛かっている。さらに、図６（ｄ）のセンサパターンを併せて参照すると、左下領域の迷光は、センサパターンＰ１１およびＰ１３に略等しく掛かり、右下領域の迷光は、センサパターンＰ１５およびＰ１７に略等しく掛かっている。
【００８０】
ここで、センサパターンＰ１１、Ｐ１３、Ｐ１５、Ｐ１７に迷光が重畳する場合に、これらセンサパターンから出力される検出信号成分をそれぞれＥ’、Ｆ’、Ｇ’、Ｈ’とし、そのうち、迷光の重畳による検出信号成分をΔｄとすると、上記式（３）は、
ＣＰＰ＝ＰＰ１＋ｋ・ＰＰ２
＝（Ａ＋Ｈ’）−（Ｄ＋Ｅ’）＋ｋ｛（Ｃ＋Ｆ’）−（Ｂ＋Ｇ’）｝
＝（Ａ＋Ｈ＋Δｄ）−（Ｄ＋Ｅ＋Δｄ）＋ｋ｛（Ｃ＋Ｆ＋Δｄ）−（Ｂ＋Ｇ＋Δｄ）｝
＝（Ａ＋Ｈ）−（Ｄ＋Ｅ）＋ｋ｛（Ｃ＋Ｆ）−（Ｂ＋Ｇ）｝
と表され、元の式（３）と同じ計算式となる。
【００８１】
なお、ここでは、迷光の動きが上向きである場合を示したが、上記と逆方向にレンズシフトが生じた場合、迷光の動きは下向きとなり、左上および右上の領域の迷光が信号光領域に略等しく掛かることになる。この場合も、上記と同様、迷光の重畳による検出信号成分が、式（３）内で打ち消される。
【００８２】
また、浅い側に記録層がある場合についても、迷光の重畳による検出信号成分は、式（３）内で打ち消される。すなわち、浅い側の記録層による迷光は、レンズシフトにより、深い側の記録層による迷光と同じ方向に移動されるため、深い側に記録層がある場合と同様、上記式（３）内で迷光の重畳による検出信号成分が打ち消されることになる。
【００８３】
以上のシミュレーション結果から分かるとおり、レンズシフトがある場合にも、上記式（３）に示すプッシュプル信号ＣＰＰは迷光の影響を受けないため、高品質なプッシュプル信号ＣＰＰ（トラッキングエラー信号）が生成され得る。
【００８４】
＜実施例＞
以下、上記原理に基づく実施例について説明する。
【００８５】
図１３に、本実施例に係る光ピックアップ装置の光学系を示す。なお、同図には、便宜上、関連する回路構成が併せて図示されている。また、同図中のディスクには、複数の記録層が積層して配置されている。
【００８６】
図示の如く、光ピックアップ装置の光学系は、半導体レーザ１０１と、偏光ビームスプリッタ１０２と、コリメートレンズ１０３と、レンズアクチュエータ１０４と、立ち上げミラー１０５と、１／４波長板１０６と、アパーチャ１０７と、対物レンズ１０８と、ホルダ１０９と、対物レンズアクチュエータ１１０と、アナモレンズ１１１と、光検出器１１２を備えている。
【００８７】
半導体レーザ１０１は、所定波長のレーザ光を出射する。半導体レーザ１０１から出射されるレーザ光の広がり角は、上記シミュレーションの場合と同様、水平広がり角と垂直広がり角が異なっている。
【００８８】
偏光ビームスプリッタ１０２は、半導体レーザ１０１から入射されるレーザ光（Ｓ偏光）を略全反射するとともに、コリメートレンズ１０３側から入射されるレーザ光（Ｐ偏光）を略全透過する。コリメートレンズ１０３は、偏光ビームスプリッタ１０２側から入射されるレーザ光を平行光に変換する。
【００８９】
レンズアクチュエータ１０４は、サーボ回路２０３から入力されるサーボ信号に応じてコリメートレンズ１０３を光軸方向に変位させる。これにより、レーザ光に生じる収差が補正される。立ち上げミラー１０５は、コリメートレンズ１０３側から入射されたレーザ光を対物レンズ１０８に向かう方向に反射する。
【００９０】
１／４波長板１０６は、ディスクへと向かうレーザ光を円偏光に変換するとともに、ディスクからの反射光をディスクへ向かう際の偏光方向に直交する直線偏光に変換する。これにより、ディスクによって反射されたレーザ光は、偏光ビームスプリッタ１０２を透過する。
【００９１】
アパーチャ１０７は、図７におけるアパーチャ１４と同様、対物レンズ１０８に対するレーザ光の有効径が適正となるように、レーザ光のビーム形状を円形形状に調整する。対物レンズ１０８は、レーザ光をディスク内のターゲット記録層に適正に収束できるよう設計されている。ホルダ１０９は、１／４波長板１０６と対物レンズ１０８を一体的に保持する。対物レンズアクチュエータ１１０は、従来周知の電磁駆動回路によって構成され、当該回路のうち、フォーカスコイル等のコイル部がホルダ１０９に装着されている。
【００９２】
アナモレンズ１１１は、ディスクからの反射光に非点収差を導入する。すなわち、アナモレンズ１１１は、曲面方向と平面方向が、図１（ｂ）を参照して述べた如く設定されている。また、アナモレンズ１１１は、偏光ビームスプリッタ１０２側から入射されたレーザ光の進行方向を、図５（ａ）を参照して述べた如く変化させる機能を備えている。これにより、アナモレンズ１１１は、入射されたレーザ光のうち、図５（ａ）の領域Ａ〜Ｄを通過する光束の進行方向を、同じ角度量αだけ変化させる。なお、角度量αは、面Ｓ０上における信号光と迷光１、２の分布状態が、図５（ｂ）の分布状態となるように設定されている。
【００９３】
光検出器１１２は、図６（ｄ）に示すセンサパターンＰ１１〜Ｐ１８を有する。光検出器１１２は、このセンサパターンが図１の面Ｓ０の位置に位置づけられるように配置される。光検出器１１２のセンサパターンＰ１１〜Ｐ１８は、各々、図６（ｄ）の光束領域ａ〜ｈを通る光束を受光する。
【００９４】
信号演算回路２０１は、光検出器１１２の８個のセンサパターンから出力された検出信号を、上記式（１）に従って演算処理し、フォーカスエラー信号を生成する。また、信号演算回路２０１は、これら８個のセンサパターンから出力された検出信号を加算して再生ＲＦ信号を生成する。さらに、信号演算回路２０１は、光検出器１１２の８個のセンサパターンから出力された検出信号を、上記式（３）に従って演算処理し、プッシュプル信号ＣＰＰ（トラッキングエラー信号）を生成する。生成されたフォーカスエラー信号とプッシュプル信号ＣＰＰはサーボ回路２０３に送られ、再生ＲＦ信号は再生回路２０２とサーボ回路２０３に送られる。
【００９５】
再生回路２０２は、信号演算回路２０１から入力された再生ＲＦ信号を復調して再生データを生成する。サーボ回路２０３は、信号演算回路２０１から入力されたプッシュプル信号ＣＰＰとフォーカスエラー信号からトラッキングサーボ信号とフォーカスサーボ信号を生成し、これらを対物レンズアクチュエータ１１０に出力する。また、サーボ回路２０３は、信号演算回路２０１から入力された再生ＲＦ信号の品質が最良になるよう、レンズアクチュータ１０４にサーボ信号を出力する。コントローラ２０４は、内蔵メモリに格納されたプログラムに従って各部を制御する。
【００９６】
図１４は、アナモレンズ１１１の構成例を示す図である。同図（ａ）は、アナモレンズ１１１の斜視図を示す図であり、同図（ｂ）は、反射光の光軸方向であって偏光ビームスプリッタ１０２側から見た図である。
【００９７】
同図（ａ）を参照して、アナモレンズ１１１は、入射面側に、互いに異なる曲面形状からなるレンズ領域１１１ａ〜１１１ｄを有する。各レンズ領域１１１ａ〜１１１ｄは、それぞれ、光軸Ｍに沿って入射する光に非点収差を付与する機能と、光の進行方向を変化させる機能とを備えている。
【００９８】
非点収差機能について、各レンズ領域１１１ａ〜１１１ｄは、レーザ光の光軸周りに隣り合う他の２つのレンズ領域との間の２つの境界のうち、一方の境界Ｂａ１、Ｂｂ１、Ｂｃ１、Ｂｄ１に平行な方向（平面方向）に光束を収束させて図１（ａ）の焦線位置（Ｓ２）に焦線を結ばせるとともに、この境界Ｂａ１、Ｂｂ１、Ｂｃ１、Ｂｄ１に垂直な方向（曲面方向）に光束を収束させて焦線位置（Ｓ２）とは異なる焦線位置（Ｓ１）に焦線を結ばせるよう設計されている。また、各レンズ領域の平面方向に平行な境界Ｂａ１、Ｂｂ１、Ｂｃ１、Ｂｄ１は、隣り合うレンズ領域の境界Ｂａ２、Ｂｂ２、Ｂｃ２、Ｂｄ２と接しており、これら境界Ｂａ１、Ｂｂ１、Ｂｃ１、Ｂｄ１どうしが互いに接することのないよう設計されている。
【００９９】
また、進行方向変更機能について、各レンズ領域１１１ａ〜１１１ｄは、これらレンズ領域１１１ａ〜１１１ｄに入射するレーザ光の進行方向を、それぞれ、図１４（ｂ）に示す如く、方向Ｖａ〜Ｖｄに変化させるよう設計されている。
【０１００】
これら非点収差機能と進行方向変更機能は、レーザ光がターゲット記録層に合焦された状態で、レンズ領域１１１ａ〜１１１ｄを通過したレーザ光（信号光、迷光１、２）が、光検出器１１２の受光面上において、図５（ｂ）に示すように分布するよう調整されている。これにより、レンズ領域１１１ａ〜１１１ｄに入射するレーザ光（信号光）が、光検出器１１２上のセンサパターンにおいて、適正に受光され得る。なお、各レンズ領域の境界は、トラック像の方向と４５度の角度をなしている。
【０１０１】
図１５は、信号演算回路２０１のうち、プッシュプル信号ＣＰＰ（トラッキングエラー信号）を生成する演算処理部の構成を示す図である。図示の如く、プッシュプル信号ＣＰＰの演算処理部は、加算回路２１、２２、２４、２５、２８と、減算回路２３、２６と、乗算回路２７とを備えている。
【０１０２】
加算回路２１は、センサパターンＰ１１、Ｐ１２からの出力信号を加算して、左右２つの信号光のうち左側の信号光の光量に応じた信号を出力する。加算回路２２は、センサパターンＰ１７、Ｐ１８からの出力信号を加算して、左右２つの信号光のうち右側の信号光の光量に応じた信号を出力する。減算回路２３は、加算回路２１、２２からの出力信号の差分を取り、これにより、左右２つの信号光の光量差に基づく上記信号ＰＰ１を生成する。
【０１０３】
加算回路２４は、センサパターンＰ１３、Ｐ１４からの出力信号を加算して、上下２つの信号光の左側の光量に応じた信号を出力する。加算回路２５は、センサパターンＰ１５、Ｐ１６からの出力信号を加算して、上下２つの信号光の右側の光量に応じた信号を出力する。減算回路２６は、加算回路２４、２５からの出力信号の差分を取り、これにより、上下２つの信号光の左右方向の偏りに基づく上記信号ＰＰ２を生成する。
【０１０４】
乗算回路２７は、減算回路２６から出力される信号ＰＰ２に上記変数ｋを乗じた信号を加算回路２８に出力する。加算回路２８は、減算回路２３から入力される信号ＰＰ１と、乗算回路２７から入力される信号を加算し、加算後の信号をプッシュプル信号ＣＰＰ（トラッキングエラー信号）として出力する。
【０１０５】
乗算回路２７における変数ｋは、手動または自動で最適値に調節される。手動により調節される場合には、たとえば、ネジを回すことにより変数ｋを変えることができるボリューム調節部が配される。この場合、製品出荷時に、テストディスクを用いて、プッシュプル信号ＣＰＰ（トラッキングエラー信号）をモニタしながら、プッシュプル信号ＣＰＰ（トラッキングエラー信号）のオフセット（ＤＣ成分）が最小となるよう、手動で変数ｋの値が調節される。
【０１０６】
変数ｋが自動で調節される場合には、変数ｋをΔｋずつ加減する制御処理がコントローラ２０４に付加される。この場合には、製品出荷時に、テストディスクを用いて、変数ｋの調節動作が行われる。すなわち、コントローラ２０４は、変数ｋ値をデフォルト値の前後でΔｋずつ変化させながら、同時に、レンズシフトを発生させ、レンズシフトが０μｍから３００μｍへと変化したときのプッシュプル信号のオフセット値（ＤＣ成分）の変動量を、それぞれの変数ｋ値について取得する。そして、コントローラ２０４は、取得した変動量が最小となるときの変数ｋの値を、実動作時の乗算回路２７の変数ｋの値として設定する。
【０１０７】
なお、図１３に示す信号演算回路２０１は、光ピックアップ装置側にあっても、光ディスク装置側にあっても良い。また、信号演算回路２０１を構成する回路部の一部が光ピックアップ装置側にあってもよい。たとえば、図１５に示す演算部の全てが、光ピックアップ装置側にあっても、光ディスク装置側にあっても良く、あるいは、信号ＰＰ１、ＰＰ２を生成する回路部は光ピックアップ装置側にあり、それより後段側の回路は光ディスク装置側にある等、演算部が光ピックアップ装置と光ディスク装置に分かれて配置されていても良い。
【０１０８】
以上、本実施例によれば、ディスク内に配された記録層のうちターゲット記録層から反射された信号光と、当該ターゲット記録層の深い側および浅い側の記録層から反射された迷光１、２とが、光検出器１１２の受光面（オンフォーカス時に信号光スポットが最小錯乱円になる面Ｓ０）上において、互いに重なり合わないようにすることができる。具体的には、受光面（面Ｓ０）上における信号光と迷光１、２の分布を、図５（ｂ）の状態にすることができる。したがって、図５（ｂ）の信号光領域に、図６（ｄ）に示すセンサパターンを配置することにより、センサパターンＰ１１〜Ｐ１８によって、対応する信号光のみを受光することができる。このため、迷光による検出信号の劣化を抑制することができる。
【０１０９】
加えて、本実施例によれば、図１５の回路構成によりプッシュプル信号ＣＰＰ（トラッキングエラー信号）が生成されるため、上記シミュレーション結果をもとに説明した如く、プッシュプル信号ＣＰＰ（トラッキングエラー信号）に含まれるオフセット（ＤＣ成分）を効果的に抑制することができる。さらに、レンズシフトがある場合にも、プッシュプル信号ＣＰＰの演算を適用することにより、迷光の影響が除去された高品質のトラッキングエラー信号を生成できる。
【０１１０】
また、本実施例によれば、アナモレンズ１１１が非点収差機能と進行方向変更機能の両方を有しているため、非点収差機能のみを有するアナモレンズと進行方向変更機能を有する他の光学素子を配する場合に比べ、構成の簡素化を図ることができる。
【０１１１】
さらに、本実施例によれば、図６（ｃ）に示す如く、信号光領域が正方形となり、且つ、信号光が正方形の頂角の位置に照射されるため、センサパターンの配置領域をコンパクトなものにすることができ、且つ、センサパターンを容易に配置することができる。
【０１１２】
なお、上記原理による迷光除去効果は、図１を参照して、迷光１の平面方向の焦線位置（Ｍ１２）が、面Ｓ０よりもアナモレンズ１１１に近い位置にあり、且つ、迷光２の曲面方向の焦線位置（Ｍ２１）が、面Ｓ０よりもアナモレンズ１１１から遠い位置にあるときに奏され得るものである。すなわち、この関係が満たされていれば、信号光と迷光１、２の分布は図５（ａ）に示す状態となり、面Ｓ０において、信号光と迷光１、２が重なり合わないようすることができる。換言すれば、この関係が満たされる限り、たとえ、信号光の曲面方向の焦線位置（Ｓ１）よりも、迷光１の平面方向の焦線位置（Ｍ１２）が面Ｓ０に接近し、あるいは、信号光の平面方向の焦線位置（Ｓ２）よりも、迷光２の曲面方向の焦線位置（Ｍ２１）が面Ｓ０に接近したとしても、上記原理に基づく本発明ないし実施例の効果は奏され得る。
【０１１３】
＜変更例１＞
上記実施例では、図５（ａ）に示す非点収差作用および進行方向変更作用により、信号光と迷光１、２の光束が、面Ｓ０上において図５（ｂ）のような分布状態とされ、かかる光束が、図６（ｄ）に示すセンサパターンによって受光された。本変更例では、図５（ａ）と異なる非点収差作用および進行方向変更作用により、信号光と迷光１、２の光束が、面Ｓ０上において、互いに重ならないようにされる。
【０１１４】
図１６（ａ）は、本変更例に係るアナモレンズの構成を示す図である。本変更例に係るアナモレンズは、光軸周りに６つの領域に区分されている。領域Ａ、Ｄは、周方向の角度が９０度であり、領域Ｂ、Ｃ、Ｅ、Ｆは、周方向の角度が４５度である。各領域は、上記実施例と同様、それぞれ、非点収差機能と進行方向変更機能を有している。なお、トラック像の方向は、上記実施例と同様、同図Ｙ軸方向である。
【０１１５】
非点収差機能について、領域Ａ〜Ｆは、それぞれ、レーザ光の光軸周りに隣り合う他の２つの領域との間の２つの境界のうち、一方の境界に平行な方向（平面方向）に光束を収束させて図１（ａ）の焦線位置（Ｓ２）に焦線を結ばせるとともに、この境界に垂直な方向に光束を収束させて焦線位置（Ｓ２）とは異なる焦線位置（Ｓ１）に焦線を結ばせるよう設計されている。
【０１１６】
また、進行方向変更機能について、領域Ａ〜Ｆは、これら領域Ａ〜Ｆに入射するレーザ光の進行方向を、それぞれ、図１６（ａ）に示す方向Ｄａ〜Ｄｆに変化させるよう設計されている。なお、方向Ｄａ、Ｄｄは、それぞれ、同図のＺ軸正方向およびＺ軸負方向であり、方向Ｄｂ、Ｄｃ、Ｄｅ、Ｄｆは、それぞれ、Ｙ軸に対し６７．５度、Ｚ軸に対し２２．５度の傾きを有する方向である。
【０１１７】
これら非点収差機能と進行方向変更機能は、レーザ光がターゲット記録層に合焦された状態で、領域Ａ〜Ｆを通過したレーザ光（信号光、迷光１、２）が、図１３に示す光検出器１１２の受光面上において、図１６（ｂ）に示すように分布するよう調整されている。これにより、上記実施例と同様、信号光のみが存在する信号光領域を生成することができ、この信号光領域にセンサパターンを配することで、信号光のみを対応するセンサパターンにて受光することができる。
【０１１８】
図１７は、この場合のセンサパターンの配置方法を説明する図である。同図（ａ）は、ディスクからの反射光（信号光）のうち、図１６（ａ）のアナモレンズの領域Ａ〜Ｆに入射する光束領域ａ〜ｆを示す図であり、図１７（ｂ）は、本変更例に基づくセンサパターンを示す図である。
【０１１９】
同図（ｂ）を参照して、光束領域ａ〜ｆの光束（信号光）は、それぞれ、２つのセンサパターンによって受光される。同図（ｂ）において、ａ１とａ２、ｂ１とｂ２、ｃ１とｃ２、ｄ１とｄ２、ｅ１とｅ２、ｆ１とｆ２は、それぞれ、光束領域ａ〜ｆの光束をさらに２分割した光束である。図示の如く、光束ａ１〜ｆ２は、それぞれ、対応するセンサパターンＰ２１〜Ｐ３２により受光される。すなわち、センサパターンＰ２１およびＰ２２、Ｐ２３およびＰ２４、Ｐ２５およびＰ２６、Ｐ２７およびＰ２８、Ｐ２９およびＰ３０、Ｐ３１およびＰ３２は、信号光がターゲット記録層で合焦となる時に、それぞれ、光束領域ａ〜ｆの光束の半分を受光するよう設定されている。
【０１２０】
ここで、センサパターンＰ２１〜Ｐ３２の受光量に基づく検出信号を、それぞれ、Ａ１、Ａ２、Ｂ１、Ｂ２、Ｃ１、Ｃ２、Ｄ１、Ｄ２、Ｅ１、Ｅ２、Ｆ１、Ｆ２とすると、上記実施例と同様、ＰＰ１およびＰＰ２は、
ＰＰ１＝（Ａ１＋Ａ２）−（Ｄ１＋Ｄ２）
ＰＰ２＝（Ｃ１＋Ｃ２＋Ｅ１＋Ｅ２）−（Ｂ１＋Ｂ２＋Ｆ１＋Ｆ２）
の演算により求められる。
【０１２１】
こうして得られた信号ＰＰ１、ＰＰ２について、上記式（３）の演算を行うことにより、上記実施例と同様、プッシュプル信号ＣＰＰ（トラッキングエラー信号）に含まれるオフセット（ＤＣ成分）を抑制することができる。
【０１２２】
また、レンズシフトがあるとき、図１６（ｂ）に示す信号光の分布は、レンズシフトがない場合の信号光領域に対して略変化しない。他方、迷光の分布は、同図中、左右方向に移動する。なお、同図中の迷光の分布は、模式的に表されたものであり、実際には各迷光の分布領域は、信号光領域の外側において、より広範囲に広がっている。
【０１２３】
ここで、迷光がレンズシフトに伴って図１６（ｂ）の左方向に移動する場合、光束領域Ｄの迷光１と光束領域Ｅの迷光２が、光束領域ＤとＥの信号光に略等しく掛かり、光束領域Ｅの迷光１と光束領域Ｆの迷光２が、光束領域Ｆの信号光に略等しく掛かり、光束領域Ｆの迷光１と光束領域Ａの迷光２が、光束領域Ａの信号光に略等しく掛かることになる。
【０１２４】
このように迷光が信号光に掛かると、迷光の重畳による検出信号成分が、上記実施例と同様、式（３）内で打ち消される。また、迷光がレンズシフトに伴って図１６（ｂ）の右方向に移動する場合も、迷光の重畳による検出成分が、式（３）内で打ち消される。
【０１２５】
よって、上記実施例と同様、レンズシフトがある場合にも、プッシュプル信号ＣＰＰの演算を適用することにより、迷光の影響が除去された高品質のトラッキングエラー信号を生成できる。
【０１２６】
図１８は、各センサパターンの検出信号およびフォーカスエラー信号を示す図である。同図（ａ）ないし（ｃ）において、縦軸はセンサパターンによる検出信号または演算結果を表し、横軸は対物レンズとディスクとの距離を表す。なお、横軸原点は、信号光がターゲット記録層で合焦となるときの対物レンズの位置（以下、「合焦位置」という）を表している。
【０１２７】
同図（ａ）を参照して、ｓ１は検出信号Ａ１およびＤ１を表し、ｓ２は検出信号Ａ２およびＤ２を表している。このとき、（ｓ１−ｓ２）を表すｓ３は、図示の如く、合焦位置において０となる。
【０１２８】
同図（ｂ）を参照して、ｓ４は検出信号Ｂ１、Ｃ１、Ｅ１、Ｆ１を表し、ｓ５は検出信号Ｂ２、Ｃ２、Ｅ２、Ｆ２を表している。このとき、（ｓ４−ｓ５）を表すｓ６は、図示の如く、合焦位置において０となる。
【０１２９】
従って、Ａ１ないしＦ２を用いてフォーカスエラー信号ＦＥは、
ＦＥ＝｛（Ａ１−Ａ２）＋（Ｄ１−Ｄ２）｝＋｛（Ｂ１−Ｂ２）＋（Ｃ１−Ｃ２）
＋（Ｅ１−Ｅ２）＋（Ｆ１−Ｆ２）｝
と表すことができる。
【０１３０】
同図（ｃ）は、フォーカスエラー信号ＦＥを表す図である。図示の如く、フォーカスエラー信号ＦＥは、Ｓ字カーブを有し、合焦位置において０となる。よって、フォーカスエラー信号ＦＥが０となるよう、対物レンズが光軸に垂直な方向に駆動されれば、信号光の焦点位置が、ターゲット記録層上に合わせられ得る。
【０１３１】
よって、本変更例においても、図１６（ａ）に示すアナモレンズにより信号光領域を生成することができ、この信号光領域に、図１７（ｂ）に示すセンサパターンを有する光検出器を配することによって、迷光による影響が抑制された高品質の検出信号を得ることができる。
【０１３２】
＜変更例２＞
本変更例は、図１６（ａ）と異なるアナモレンズを用いて、信号光と迷光１、２の光束が重ならないようにするものである。
【０１３３】
図１９（ａ）は、本変更例に係るアナモレンズの構成を示す図である。本変更例に係るアナモレンズは、光軸周りに８つの領域に区分されている。各領域は、周方向の角度が４５度となっており、上記実施例と同様、それぞれ、非点収差機能と進行方向変更機能を有している。なお、トラック像の方向は、上記実施例と同様、同図Ｙ軸方向である。
【０１３４】
非点収差機能について、領域Ａ〜Ｈは、それぞれ、レーザ光の光軸周りに隣り合う他の２つの領域との間の２つの境界のうち、一方の境界に平行な方向（平面方向）に光束を収束させて図１（ａ）の焦線位置（Ｓ２）に焦線を結ばせるとともに、この境界に垂直な方向に光束を収束させて焦線位置（Ｓ２）とは異なる焦線位置（Ｓ１）に焦線を結ばせるよう設計されている。
【０１３５】
また、進行方向変更機能について、領域Ａ〜Ｈは、これら領域Ａ〜Ｈに入射するレーザ光の進行方向を、それぞれ、図１９（ａ）に示す方向Ｄａ〜Ｄｈに変化させるよう設計されている。なお、方向Ｄａ〜Ｄｈは、それぞれ各領域の平面方向に対し、６７．５度の角度をなしている。
【０１３６】
これら非点収差機能と進行方向変更機能は、レーザ光がターゲット記録層に合焦された状態で、領域Ａ〜Ｈを通過したレーザ光（信号光、迷光１、２）が、図１３に示す光検出器１１２の受光面上において、図１９（ｂ）に示すように分布するよう調整されている。これにより、上記実施例と同様、信号光のみが存在する信号光領域を生成することができ、この信号光領域にセンサパターンを配することで、信号光のみを対応するセンサパターンにて受光することができる。
【０１３７】
図２０は、この場合のセンサパターンの配置方法を説明する図である。同図（ａ）は、ディスクからの反射光（信号光）のうち、図１９（ａ）のアナモレンズの領域Ａ〜Ｈに入射する光束領域ａ〜ｈを示す図であり、図２０（ｂ）は、本変更例に基づくセンサパターンを示す図である。
【０１３８】
同図（ｂ）を参照して、光束領域ａ〜ｈの光束（信号光）は、それぞれ、２つのセンサパターンによって受光される。同図（ｂ）において、ａ１とａ２、ｂ１とｂ２、ｃ１とｃ２、ｄ１とｄ２、ｅ１とｅ２、ｆ１とｆ２、ｇ１とｇ２、ｈ１とｈ２は、それぞれ、光束領域ａ〜ｈの光束をさらに２分割した光束である。図示の如く、光束ａ１〜ｈ２は、それぞれ、対応するセンサパターンＰ４１〜Ｐ５６により受光される。すなわち、センサパターンＰ４１およびＰ４２、Ｐ４３およびＰ４４、Ｐ４５およびＰ４６、Ｐ４７およびＰ４８、Ｐ４９およびＰ５０、Ｐ５１およびＰ５２、Ｐ５３およびＰ５４、Ｐ５５およびＰ５６は、信号光がターゲット記録層で合焦となる時に、それぞれ、光束領域ａ〜ｈの光束の半分を受光するよう設定されている。
【０１３９】
ここで、センサパターンＰ４１〜Ｐ５６の受光量に基づく検出信号を、それぞれ、Ａ１、Ａ２、Ｂ１、Ｂ２、Ｃ１、Ｃ２、Ｄ１、Ｄ２、Ｅ１、Ｅ２、Ｆ１、Ｆ２、Ｇ１、Ｇ２、Ｈ１、Ｈ２とすると、上記実施例と同様、ＰＰ１およびＰＰ２は、
ＰＰ１＝（Ａ１＋Ａ２＋Ｈ１＋Ｈ２）−（Ｄ１＋Ｄ２＋Ｅ１＋Ｅ２）
ＰＰ２＝（Ｃ１＋Ｃ２＋Ｆ１＋Ｆ２）−（Ｂ１＋Ｂ２＋Ｇ１＋Ｇ２）
の演算により求められる。
【０１４０】
こうして得られた信号ＰＰ１、ＰＰ２について、上記式（３）の演算を行うことにより、上記実施例と同様、プッシュプル信号ＣＰＰ（トラッキングエラー信号）に含まれるオフセット（ＤＣ成分）を抑制することができる。
【０１４１】
また、レンズシフトがあるとき、図１９（ｂ）に示す信号光の分布は、レンズシフトがない場合の信号光領域に対して略変化しない。他方、迷光の分布は、同図中、左右方向に移動する。なお、同図中の迷光の分布は、模式的に表されたものであり、実際には各迷光の分布領域は、信号光領域の外側において、より広範囲に広がっている。
【０１４２】
ここで、迷光がレンズシフトに伴って図１９（ｂ）の左方向に移動する場合、光束領域Ｄの迷光１と光束領域Ｅの迷光２が、光束領域ＥとＦの信号光に略等しく掛かり、光束領域Ｆの迷光１と光束領域Ｇの迷光２が、光束領域Ｇの信号光に略等しく掛かり、光束領域Ｇの迷光１と光束領域Ｈの迷光２が、光束領域Ｈの信号光に略等しく掛かることになる。
【０１４３】
このように迷光が信号光に掛かると、迷光の重畳による検出信号成分が、上記実施例と同様、式（３）内で打ち消される。また、迷光がレンズシフトに伴って図１９（ｂ）の右方向に移動する場合も、迷光の重畳による検出成分が、式（３）内で打ち消される。
【０１４４】
よって、上記実施例と同様、レンズシフトがある場合にも、プッシュプル信号ＣＰＰの演算を適用することにより、迷光の影響が除去された高品質のトラッキングエラー信号を生成できる。
【０１４５】
図２１は、各センサパターンの検出信号およびフォーカスエラー信号を示す。
【０１４６】
同図（ａ）を参照して、ｓ７は検出信号Ａ１、Ｂ１、Ｃ１、Ｄ１、Ｅ１、Ｆ１、Ｇ１、Ｈ１を表し、ｓ８は検出信号Ａ２、Ｂ２、Ｃ２、Ｄ２、Ｅ２、Ｆ２、Ｇ２、Ｈ２を表している。このとき、（ｓ７−ｓ８）を表すｓ９は、図示の如く、合焦位置において０となる。
【０１４７】
従って、Ａ１ないしＨ２を用いてフォーカスエラー信号ＦＥは、
ＦＥ＝（Ａ１−Ａ２）＋（Ｂ１−Ｂ２）＋（Ｃ１−Ｃ２）＋（Ｄ１−Ｄ２）
＋（Ｅ１−Ｅ２）＋（Ｆ１−Ｆ２）＋（Ｇ１−Ｇ２）＋（Ｈ１−Ｈ２）
と表すことができる。
【０１４８】
同図（ｂ）は、フォーカスエラー信号ＦＥを表す図である。図示の如く、フォーカスエラー信号ＦＥは、Ｓ字カーブを有し、合焦位置において０となる。よって、フォーカスエラー信号ＦＥが０となるよう対物レンズが駆動されれば、信号光の焦点位置が、ターゲット記録層上に合わせられ得る。
【０１４９】
よって、本変更例においても、図１９（ａ）に示すアナモレンズにより信号光領域を生成することができ、この信号光領域に、図２０（ｂ）に示すセンサパターンを有する光検出器を配することによって、迷光による影響が抑制された高品質の検出信号を得ることができる。
【０１５０】
＜他の変更例＞
以上、本発明の実施例および変更例１、２について説明したが、本発明は、上記実施例に制限されるものではなく、また、本発明の実施形態も上記以外に種々の変更が可能である。
【０１５１】
たとえば、上記実施例では、アナモレンズ１１１に、図１（ａ）に示す非点収差機能と図５（ａ）に示す進行方向変更機能の両方を持たせるようにしたが、アナモレンズ１１１に非点収差機能のみを持たせ、進行方向変更機能は別の光学素子によって導入するようにしても良い。
【０１５２】
図２２は、進行方向変更作用を導入する方向変更素子１２０を示す図である。同図（ａ）は、回折パターンを有するホログラム素子によって方向変更素子１２０を構成する場合の構成例を示し、同図（ｂ）および（ｃ）は、多面プリズムによって方向変更素子１２０を構成する場合の構成例を示している。
【０１５３】
同図（ａ）の構成例の場合、方向変更素子１２０は、正方形形状の透明板にて形成され、光入射面にホログラムパターンが形成されている。光入射面は、図示の如く、４つのホログラム領域１２０ａ〜１２０ｄに区分されている。また、ホログラム領域１２０ａ〜１２０ｄは、入射されたレーザ光（信号光、迷光１、２）を、それぞれ、図５（ａ）と同様、方向Ｖａ〜Ｖｄに回折させる。こうすると、アナモレンズおよび方向変更素子１２０により、上記実施例におけるアナモレンズ１１１と同様の効果が奏され得る。なお、ホログラム領域１２０ａ〜１２０ｄに形成されるホログラムは、ステップ型でもブレーズ型でも良い。
【０１５４】
また、図２２（ａ）の構成に替えて、同図（ｂ）の構成とすることもできる。この場合、方向変更素子１２０は、光出射面が平坦で、且つ、光入射面が４つの領域において異なる方向に個別に傾斜する透明体によって形成されている。
【０１５５】
同図（ｃ）は、同図（ｂ）を光入射面側から見た図である。図示の如く、方向変更素子１２０の光入射面には、４つの傾斜面１２０ｅ〜１２０ｈが形成されている。これら傾斜面に入射面側から光線がＸ軸に平行に入射すると、傾斜面１２０ｅ〜１２０ｈに入射する際の屈折作用によって、光の進行方向が、それぞれ、同図（ｃ）のＶａ〜Ｖｄの方向に変化する。この場合も、アナモレンズおよび方向変更素子１２０により、上記実施例におけるアナモレンズ１１１と同様の効果が奏され得る。
【０１５６】
なお、非点収差作用によって生じる焦線位置が、図１に示す位置関係となる場合、方向変更素子１２０は、迷光１の曲面方向の焦線位置（Ｍ１１）よりもディスクに近い位置に配される。この場合、面Ｓ０（光検出器１１２の受光面）上における迷光１、２の分布状態は、上記原理および実施例で述べた如く、それぞれ、図５（ａ）、（ｂ）のようになる。
【０１５７】
あるいは、図１に示す焦線位置（Ｍ１２）と焦線位置（Ｓ１）との間に、方向変更素子１２０を配することもできる。この場合、面Ｓ０（光検出器１１２の受光面）上における迷光２の分布状態は、上記と同様、図５（ｂ）の迷光２と同様になるが、迷光１の分布状態も、迷光２と同じく、図５（ｂ）の迷光２と同様になる。なお、方向変更素子は光検出器に近いため、両者を一体化することも可能である。
【０１５８】
また、上記変更例１、２においても、アナモレンズ１１１に非点収差機能のみを持たせ、進行方向変更機能は別の光学素子によって導入するようにしても良い。この場合、進行方向変更作用を導入するための光学素子は、図２２と同等、ホログラム素子または光屈折素子によって構成され得る。
【０１５９】
この他、本発明の実施の形態は、特許請求の範囲に示された技術的思想の範囲内において、適宜、種々の変更が可能である。
【符号の説明】
【０１６０】
Ｐ１１〜Ｐ１８、Ｐ２１〜Ｐ３２、Ｐ４１〜Ｐ５６  センサパターン
２１、２２  加算回路（第１の演算部）
２３  減算回路（第１の演算部）
２４、２５  加算回路（第２の演算部）
２６  減算回路（第２の演算部）
２７  乗算回路（第３の演算部）
２８  加算回路（第３の演算部）
１０１  半導体レーザ（光源）
１０８  対物レンズ
１１１  アナモレンズ（非点収差部、光束離散部）
１１１ａ〜１１１ｄ  レンズ領域
１１２  光検出器
１２０  方向変更素子（光束離散部）
２０１  信号演算回路（演算回路）
【図１】
2010257549.tif 000003
【図２】
2010257549.tif 000004
【図３】
2010257549.tif 000005
【図４】
2010257549.tif 000006
【図５】
2010257549.tif 000007
【図６】
2010257549.tif 000008
【図７】
2010257549.tif 000009
【図８】
2010257549.tif 000010
【図９】
2010257549.tif 000011
【図１０】
2010257549.tif 000012
【図１１】
2010257549.tif 000013
【図１２】
2010257549.tif 000014
【図１３】
2010257549.tif 000015
【図１４】
2010257549.tif 000016
【図１５】
2010257549.tif 000017
【図１６】
2010257549.tif 000018
【図１７】
2010257549.tif 000019
【図１８】
2010257549.tif 000020
【図１９】
2010257549.tif 000021
【図２０】
2010257549.tif 000022
【図２１】
2010257549.tif 000023
【図２２】
2010257549.tif 000024
【手続補正書】
【提出日】平成22年1月29日(2010.1.29)
【手続補正１】
【補正対象書類名】明細書
【補正対象項目名】００５０
【補正方法】変更
【補正の内容】
【００５０】
本光学系の設計条件は、以下の通りである。
（１）往路倍率：１０倍
（２）復路倍率：１８倍
（３）方向変更素子１７によって付与される分光角度：１．９度
（４）方向変更素子１７の分光面と光検出器１８の検出面の間の距離（空気換算）：３ｍｍ
（５）方向変更素子１７を配さないときの光検出面上におけるスポット径：６０μｍ
（６）方向変更素子１７を配したときの光検出面上における各信号光（光束領域Ａ〜Ｄをそれぞれ通過）の変位距離：１００μｍ
（７）レーザ光の広がり角：垂直広がり角＝２０．０度、水平広がり角＝９．０度
（８）レンズ有効径：φ＝２．４ｍｍ
（９）レンズの開口数：０．８５
（１０）ディスクのトラックピッチ：０．３２μｍ
【手続補正２】
【補正対象書類名】明細書
【補正対象項目名】００５７
【補正方法】変更
【補正の内容】
【００５７】
これに対し、同図の下段左端のシミュレーション結果を参照すると、ビームスポットがトラックセンターに位置づけられているにも関わらず、左右２つの信号光に強度差が生じている。すなわち、ここでは、左側の信号光の強度が右側の信号光の強度よりも大きくなっている。また、同図の下段中央のシミュレーション結果では、上段中央のシミュレーション結果よりも、右側の信号光と左側の信号光の強度差が小さくなっており、逆に、同図の下段右端のシミュレーション結果では、上段右端のシミュレーション結果よりも、右側の信号光と左側の信号光の強度差が大きくなっている。このように、レンズシフトが生じた場合には、信号光の左右のバランスが不適正となり、このため、左右２つの信号光を受光するセンサからの出力信号をもとに左右２つの信号光の強度差を求めても、プッシュプル信号ＰＰ（トラッキングエラー信号）を適正に求めることができない。すなわち、この場合、プッシュプル信号ＰＰには、レンズシフトに基づくＤＣ成分が重畳されることとなる。